(57)【要約】【課題】間仕切り壁のランナーをより簡易な構成で支持することができる間仕切り壁のランナー支持構造及びこれが適用された間仕切り壁を得る。【解決手段】ランナー支持部材３０が建物上下方向を板厚方向とされた平板状とされており、ランナー支持部材３０の端部３０Ａを野縁２８の建物下方側に面する一面のみを用いて固定することができる。【選択図】図１
2019090248.tif 000002
【特許請求の範囲】
【請求項１】
平行に配置された一対の野縁と、
前記野縁間に架け渡されると共に当該野縁の長手方向に間隔をあけて複数配置され、建物上下方向を板厚方向とされた平板状のランナー支持部材と、
を有する間仕切り壁のランナー支持構造。
【請求項２】
前記ランナー支持部材の端部は、建物上下方向を軸方向として回動可能とされた状態で前記野縁の一部を構成しかつ建物下方側に面する下壁部に一点で支持されている、
請求項１に記載の間仕切り壁のランナー支持構造。
【請求項３】
請求項１又は請求項２に記載の間仕切り壁のランナー支持構造が適用されて配置されると共に前記野縁の長手方向に延在するランナーと、
建物上下方向に延在し、前記ランナーに当該ランナーの長手方向に間隔をあけて複数配置されると共に、内壁材を取付可能とされたスタッドと、
建物の躯体の一部を構成しかつ前記スタッドを前記ランナーの長手方向に挟む位置に位置する一対の柱と、
を有する間仕切り壁。
【発明の詳細な説明】
【技術分野】
【０００１】
本発明は、間仕切り壁のランナー支持構造及びこれが適用された間仕切り壁に関する。
【背景技術】
【０００２】
下記特許文献１には、間仕切り壁ランナーの支持構造に関する発明が開示されている。この間仕切り壁ランナーの支持構造では、所定の間隔をあけて配置された複数の野縁に対して間仕切り壁ランナーを配置する際に、その間仕切り壁ランナーに隣接する一対の野縁間に野縁の長手方向に沿って所定の間隔をあけてランナー取付具が架設される。このため、建物上方側の間仕切り壁ランナーの取付作業を、ランナー取付具を用いて容易に行うことができる。
【先行技術文献】
【特許文献】
【０００３】
【特許文献１】特開平１１−９３３０７号公報
【発明の概要】
【発明が解決しようとする課題】
【０００４】
しかしながら、上記特許文献１に開示された間仕切り壁ランナーの支持構造では、ランナー取付具が各野縁に対して下面部及び側面部の複数箇所で支持されており、間仕切り壁のランナーをより簡易な構成で支持するという点において改善の余地がある。
【０００５】
本発明は上記事実を考慮し、間仕切り壁のランナーをより簡易な構成で支持することができる間仕切り壁のランナー支持構造及びこれが適用された間仕切り壁を得ることが目的である。
【課題を解決するための手段】
【０００６】
第１の態様に係る間仕切り壁のランナー支持構造は、平行に配置された一対の野縁と、前記野縁間に架け渡されると共に当該野縁の長手方向に間隔をあけて複数配置され、建物上下方向を板厚方向とされた平板状のランナー支持部材と、を有している。
【０００７】
第１の態様に係る間仕切り壁のランナー支持構造では、平行に配置された一対の野縁間にランナー支持部材が架け渡されており、当該ランナー支持部材は、当該野縁の長手方向に間隔をあけて複数配置されている。このため、ランナー支持部材を用いて間仕切り壁の建物上方側の部分を構成するランナーを支持することができる。
【０００８】
ところで、ランナー支持部材の端部が野縁の複数の面に固定されていると、ランナー支持部材を野縁に取り付ける作業が煩雑なものとなる。
【０００９】
ここで、本態様では、ランナー支持部材が建物上下方向を板厚方向とされた平板状とされており、ランナー支持部材の端部を野縁の建物下方側に面する一面のみを用いて固定することができる。
【００１０】
第２の態様に係る間仕切り壁のランナー支持構造は、第１の態様に係る間仕切り壁のランナー支持構造において、前記ランナー支持部材の端部は、建物上下方向を軸方向として回動可能とされた状態で前記野縁の一部を構成しかつ建物下方側に面する下壁部に一点で支持されている。
【００１１】
第２の態様に係る間仕切り壁のランナー支持構造では、ランナー支持部材の端部は、野縁の一部を構成しかつ建物下方側に面する下壁部に一点で支持されているため、ランナー支持部材の取付作業をより簡易なものにすることができる。
【００１２】
ところで、ランナー支持部材の端部が野縁の複数の面に固定されている場合には、地震等の影響でランナー支持部材が固定されている野縁同士が当該野縁の長手方向に相対変位し、当該ランナー支持部材に負荷がかかることが考えられる。
【００１３】
ここで、本態様では、ランナー支持部材の端部は、建物上下方向を軸方向として回動可能とされた状態で野縁の下壁部に支持されている。このため、地震等の影響でランナー支持部材が固定されている野縁同士が当該野縁の長手方向に相対変位しても、ランナー支持部材の端部が野縁に対して回動することでランナー支持部材が野縁の変位から受ける影響を低減することができる。
【００１４】
第３の態様に係る間仕切り壁は、第１の態様又は第２の態様に係る間仕切り壁のランナー支持構造が適用されて配置されると共に前記野縁の長手方向に延在するランナーと、建物上下方向に延在し、前記ランナーに当該ランナーの長手方向に間隔をあけて複数配置されると共に、内壁材を取付可能とされたスタッドと、建物の躯体の一部を構成しかつ前記スタッドを前記ランナーの長手方向に挟む位置に位置する一対の柱と、を有している。
【００１５】
第３の態様に係る間仕切り壁では、第１の態様又は第２の態様に係る間仕切り壁のランナー支持構造が適用されており、ランナー支持部材を野縁の建物下方側に面する一面のみを用いて固定し、当該ランナー支持部材で間仕切り壁のランナーを支持することができる。
【００１６】
また、本態様では、ランナーが野縁の長手方向に延在した状態でランナー支持部材に支持されている。そして、ランナーには、建物上下方向に延在すると共に内壁材を取付可能とされたスタッドが、当該ランナーの長手方向に間隔をあけて複数配置されており、当該スタッドによって間仕切り壁の骨格の一部が構成される。
【００１７】
ここで、本態様では、建物の躯体の一部を構成する一対の柱が、スタッドをランナーの長手方向に挟む位置に位置しており、当該柱によっても間仕切り壁の骨格の一部を構成することができる。
【００１８】
以上説明したように、第１の態様に係る間仕切り壁のランナー支持構造では、間仕切り壁のランナーをより簡易な構成で支持することができるという優れた効果を有する。
【００１９】
第２の態様に係る間仕切り壁のランナー支持構造では、地震等の影響で間仕切り壁に負荷がかかることを抑制することができるという優れた効果を有する。
【００２０】
第３の態様に係る間仕切り壁では、耐力壁としての機能を確保することができるという優れた効果を有する。
【図面の簡単な説明】
【００２１】
【図１】本実施形態に係る間仕切り壁のランナー支持構造の構成を示す建物下方側から見た見上げ図（図２の１方向矢視図）である。
【図２】本実施形態に係る間仕切り壁のランナー支持構造の構成を示す断面図（図１の２−２線に沿って切断した状態を示す断面図）である。
【図３】本実施形態に係る間仕切り壁の骨格部分の構成を示す正面図（図２の３方向矢視図）である。
【発明を実施するための形態】
【００２２】
以下、図１〜図３を用いて、本発明の実施形態に係る間仕切り壁のランナー支持構造（以下、ランナー支持構造と称する）並びにこれが適用された「間仕切り壁１０」の構成の一例について説明する。
【００２３】
まず、本実施形態に係る「建物１２」の全体構造について説明する。この建物１２は、図３にその一部が示されるように、鉄骨軸組み工法により構築されており、当該建物１２の「躯体１４」は、図示しない複数の鉄骨柱、ラチス柱１６、図示しない複数の天井大梁及び図示しない複数の床大梁を含んで構成されている。天井大梁は、Ｉ型鋼で構成されていると共に、鉄骨柱の上端部同士を連結しており、床大梁は、天井大梁と同じくＩ型鋼で構成されていると共に、鉄骨柱の下端部同士を連結している。
【００２４】
ラチス柱１６は、柱としての一対の「鉄骨柱１８、２０」とラチス材２２とを含んで構成されている。鉄骨柱１８及び鉄骨柱２０は、基本的に同様の構成とされており、これらは建物上下方向に延在する角筒状とされている。また、鉄骨柱１８、２０は、その上端部同士が天井大梁で連結されていると共に、その下端部同士が床大梁で連結されている。そして、鉄骨柱１８と鉄骨柱２０とは、その上端部同士を連結する天井大梁の延在方向に所定の間隔をあけた状態でかつ鉄骨柱１８における鉄骨柱２０側の壁面部１８Ａと鉄骨柱２０における鉄骨柱１８側の壁面部２０Ａとが互いに対向した状態で配置されている。
【００２５】
一方、ラチス材２２は、鋼製とされており、鉄骨柱１８の壁面部１８Ａと直交する壁面部１８Ｂの板厚方向から見て、壁面部１８Ａ、２０Ａ間をジグザグ状に屈折されつつ建物上下方向に延在する円柱状とされている。そして、ラチス材２２は、図示しない溶接等による接合部によって壁面部１８Ａ、２０Ａに接合されており、当該ラチス材２２によって鉄骨柱１８と鉄骨柱２０とが連結された状態となっている。
【００２６】
ここで、本実施形態では、上述したラチス柱１６を含んで間仕切り壁１０が構成されており、上述したように、間仕切り壁１０にランナー支持構造が適用されている。以下、本実施形態の要部である間仕切り壁１０並びにランナー支持構造の構成について詳細に説明する。
【００２７】
図１及び図２に示されるように、間仕切り壁１０は、一対の鋼製の「ランナー２４」と、それぞれのランナー２４に２本ずつ取り付けられた鋼製の「スタッド２６」を備えている。ランナー２４は、天井側に配置されて間仕切り壁１０の建物上方側の部分を構成しており、その長手方向から見た断面形状が建物下方側に開放されたコ字状とされていると共に、ラチス柱１６と連結された天井大梁の長手方向に沿って延在している。なお、一対のランナー２４は、鉄骨柱１８の壁面部１８Ｂの板厚方向から見て、一方のランナー２４が他方のランナー２４の略全体を覆い隠すように配置されている。
【００２８】
これらのランナー２４は、建物上下方向から見て、その長手方向と直交する方向に間隔をあけてかつ平行に配置されていると共に、ラチス柱１６の鉄骨柱１８、２０間に納まっている。そして、ランナー２４のそれぞれの端部には、スタッド２６が取り付けられている。
【００２９】
スタッド２６は、建物上下方向に延在する角筒状とされており、その建物上方側の端部がランナー２４に嵌合されている。そして、建物上下方向から見て、ランナー２４の長手方向と直交する方向に対向する一対のスタッド２６において、一方のスタッド２６における他方のスタッド２６と反対側の壁面部２６Ａには、内壁材が取付可能とされている。なお、ランナー２４は、建物上下方向から見て、上述した鉄骨柱１８、２０間に納まっており、鉄骨柱１８、２０は、全てのスタッド２６をランナー２４の長手方向に挟む位置に位置した状態となっている。
【００３０】
一方、ランナー２４を支持するランナー支持構造は、一対の「野縁２８」と、複数の「ランナー支持部材３０」とを含んで構成されている。野縁２８は、建物上下方向から見て、ラチス柱１６と連結された天井大梁の長手方向に沿って延在すると共に、一方の野縁２８と他方の野縁２８とが平行となるようにかつこれらで鉄骨柱１８、２０を野縁２８の長手方向と直交する方向に挟むように配置されている。
【００３１】
また、野縁２８は、リップ溝形鋼で構成されており、その長手方向から見た断面形状が建物上方側に開放された略コ字状とされると共に、建物上方側の端部にリップ部２８Ａが設けられている。一方、野縁２８の建物上方側には、建物上下方向から見て野縁２８と直交する方向に延在する野縁受３２が野縁２８の延在方向に間隔をあけて複数配置されている。なお、野縁受３２は、天井大梁間に架け渡されている。
【００３２】
野縁受３２には、複数箇所にクリップ３４が取り付けられており、当該クリップ３４には、野縁２８のリップ部２８Ａに係止可能な係止部３４Ａが設けられている。そして、クリップ３４の係止部３４Ａが野縁２８のリップ部２８Ａに係止されることで、野縁２８が野縁受３２に対して固定されている。
【００３３】
ランナー支持部材３０は、建物上下方向から見て、矩形の平板状とされており、ラチス柱１６の鉄骨柱１８、２０間において、その板厚方向を建物上下方向とされた状態で一対の野縁２８間に架け渡されている。なお、本実施形態では、一例として２枚のランナー支持部材３０が野縁２８の長手方向に間隔をあけて配置されている。
【００３４】
より詳しくは、ランナー支持部材３０は、野縁２８の建物下方側に配置されており、その長手方向のそれぞれの「端部３０Ａ」が、野縁２８の一部を構成しかつ建物下方側に面する「下壁部２８Ｂ」に面接触された状態となっている。そして、ランナー支持部材３０の端部３０Ａは、ビス３６等の締結部材によって、野縁２８の下壁部２８Ｂに一点で支持されていると共に、建物上下方向を軸方向として当該下壁部２８Ｂに対して回動可能とされている。
【００３５】
また、上述したランナー２４は、その建物上方側の部分を構成する上壁部２４Ａがビス３８等の締結部材によってランナー支持部材３０に固定されている。なお、ランナー２４は、ランナー支持部材３０に取り付けられた状態において、野縁２８の長手方向に延在した状態となっている。
【００３６】
＜本実施形態の作用及び効果＞
次に、本実施形態の作用並びに効果を説明する。
【００３７】
本実施形態では、平行に配置された一対の野縁２８間にランナー支持部材３０が架け渡されており、当該ランナー支持部材３０は、当該野縁２８の長手方向に間隔をあけて複数配置されている。このため、ランナー支持部材３０を用いて間仕切り壁１０の建物上方側の部分を構成するランナー２４を支持することができる。
【００３８】
ところで、ランナー支持部材３０の端部３０Ａが野縁２８の複数の面に固定されていると、ランナー支持部材３０を野縁２８に取り付ける作業が煩雑なものとなる。
【００３９】
ここで、本実施形態では、ランナー支持部材３０が建物上下方向を板厚方向とされた平板状とされており、ランナー支持部材３０の端部３０Ａを野縁２８の建物下方側に面する一面のみを用いて固定することができる。したがって、本実施形態では、間仕切り壁１０のランナー２４をより簡易な構成で支持することができる。
【００４０】
また、本実施形態では、ランナー支持部材３０の端部３０Ａは、野縁２８の一部を構成しかつ建物下方側に面する下壁部２８Ｂに一点で支持されているため、ランナー支持部材３０の取付作業をより簡易なものにすることができる。
【００４１】
ところで、ランナー支持部材３０の端部３０Ａが野縁２８の複数の面に固定されている場合には、地震等の影響でランナー支持部材３０が固定されている野縁２８同士が当該野縁２８の長手方向に相対変位し、当該ランナー支持部材３０に負荷がかかることが考えられる。
【００４２】
ここで、本実施形態では、ランナー支持部材３０の端部３０Ａは、建物上下方向を軸方向として回動可能とされた状態で野縁２８の下壁部２８Ｂに支持されている。このため、地震等の影響でランナー支持部材３０が固定されている野縁２８同士が当該野縁２８の長手方向に相対変位しても、ランナー支持部材３０の端部３０Ａが野縁２８に対して回動することでランナー支持部材３０が野縁２８の変位から受ける影響を低減することができる。したがって、本実施形態では、地震等の影響で間仕切り壁１０に負荷がかかることを抑制することができる。
【００４３】
さらに、本実施形態では、ランナー２４が野縁２８の長手方向に延在した状態でランナー支持部材３０に支持されている。そして、ランナー２４には、建物上下方向に延在すると共に内壁材を取付可能とされたスタッド２６が、当該ランナー２４の長手方向に間隔をあけて複数配置されており、当該スタッド２６によって間仕切り壁１０の骨格の一部が構成される。
【００４４】
ここで、本実施形態では、建物１２の躯体１４の一部を構成する一対の鉄骨柱１８、２０が、スタッド２６をランナー２４の長手方向に挟む位置に位置しており、当該鉄骨柱１８、２０によっても間仕切り壁１０の骨格の一部を構成することができる。したがって、本実施形態では、間仕切り壁１０が、耐力壁としての機能を確保することができる。
【００４５】
＜上記実施形態の補足説明＞
（１）  上述した実施形態では、野縁２８間に２枚のランナー支持部材３０が架け渡されていたが、間仕切り壁１０の構成に応じて３枚以上のランナー支持部材３０が野縁２８間に架け渡されていてもよい。また、ランナー２４の構成に応じてスタッド２６の本数も適宜調整可能である。
【００４６】
（２）  また、上述した実施形態では、ランナー支持部材３０の端部３０Ａが野縁２８に一点で支持されていたが、当該端部３０Ａは、野縁２８の配置等に応じて、野縁２８に複数箇所で支持されていてもよい。
【００４７】
（３）  さらに、上述した実施形態では、間仕切り壁１０がラチス柱１６を含んで構成されていたが、当該間仕切り壁１０は、その配置箇所等に応じてラチス柱１６を含まない構成とされていてもよい。
【００４８】
（４）  加えて、上述した実施形態では、ランナー支持部材３０が、建物上下方向から見て、矩形の平板状とされていたが、当該ランナー支持部材３０は、ランナー２４の配置等に応じて、これ以外の形状の平板状とされていてもよい。
【符号の説明】
【００４９】
１０      間仕切り壁
１２      建物
１４      躯体
１８      鉄骨柱（柱）
２０      鉄骨柱（柱）
２４      ランナー
２６      スタッド
２８      野縁
２８Ｂ    下壁部
３０      ランナー支持部材
３０Ａ    端部
【図１】
2019090248.tif 000003
【図２】
2019090248.tif 000004
【図３】
2019090248.tif 000005